(57)【要約】【課題】キャップ付き筆記具においては最初にキャップを外すだけで、以後は使用時に筆記具本体に対するキャップの着脱をその都度行わなくともスムーズに書き物をすることができ、かつ、使用しない間も筆記具本体の先端部の芯材に含浸させたインク等が蒸発することのないようにしたペン立てを提供することにある。【解決手段】油性特殊粘土で所定の形状にペン立て本体２を形成し、このペン立て本体２に、筆記具４の先端部５ａを挿入して前記先端部５ａの外周面の全体または外周面の環状の一部を密着保持させて前記筆記具４をペン立て本体２に立てられるようにした孔６を複数形成した構成である。【選択図】  図４
2005231277.tif 000002
【特許請求の範囲】
【請求項１】
油性特殊粘土で所定の形状にペン立て本体を形成し、このペン立て本体に、筆記具の先端部を挿入して前記先端部の外周面の全体または外周面の環状の一部を密着保持させて前記筆記具をペン立て本体に立てられるようにした孔を複数形成したことを特徴とするペン立て。
【請求項２】
所定間隔を以って一列に配した複数の孔を、複数列にペン立て本体に形成したことを特徴とする請求項１記載のペン立て。
【請求項３】
ペン立て本体に形成する孔は、有底筒状で且つ底部側を円錐状または截頭円錐状に形成したことを特徴とする請求項１または２記載のペン立て。
【請求項４】
油性特殊粘土が、植物性硬化油、炭酸カルシウム、カオリンナイト、脂肪酸ナトリウム塩を有するものであることを特徴とする請求項１、２または３記載のペン立て。
【請求項５】
ペン立て本体をアルミ製の容器に孔を上側にして収納したことを特徴とする請求項１、２、３または４記載のペン立て。
【発明の詳細な説明】
【技術分野】
【０００１】
この発明は、各種の筆記具、特にキャップ付き筆記具のキャップを外した筆記具本体を保管しておくペン立てに関するものである。
【背景技術】
【０００２】
従来から文字や絵柄等を書く場合には、種々の筆記具が使用されている。これらの筆記具の中にはキャップを必要としない構造の筆記具も多々あるが、ホワイトボードマーカーやサインペン等の筆記具は、キャップ付きで、芯材に含浸させたインクが乾燥しないように、キャップを芯材の突出した筆記具本体の先端部に着脱自在に取り付けられるようにしてある。
【０００３】
このキャップ付きの筆記具では、使用する際にその都度キャップを外して使用し、使用後は、前記のように芯材の乾燥を防ぐために、キャップを筆記具本体にしておかなければならなかった。
【０００４】
なお、ペン立てに関する関連文献としては次のような文献を参照できる。
【特許文献１】特開２００３−２７６３９６号公報
【特許文献２】特開２００１−３２２３８９号公報
【発明の開示】
【発明が解決しようとする課題】
【０００５】
しかしながら、キャップ付きの筆記具の場合、使用する時にキャップを外そうとした場合、固くてなかなかキャップを筆記具本体から外すことができないことがある。
【０００６】
また、キャップを外して筆記具本体を使用中に、キャップを置いた場所を忘れたり、置いたテーブル等から転げ落ちたりして紛失することがある。そのためキャップを無くした場合、次に使用するときにインクを含浸させた芯材が乾燥して書けなくなるといったことが多々ある。
【０００７】
本発明はこのような点に鑑みて開発されたものであり、その目的とするところは、キャップ付き筆記具において、最初にキャップを外しておくだけで、以後は使用時に筆記具本体に対するキャップの着脱をその都度行わなくともスムーズに書き物をすることができ、かつ、使用しない間も筆記具本体の先端部の芯材に含浸させたインク等が蒸発して芯材が乾燥してしまうことのないペン立てを提供することにある。
【課題を解決するための手段】
【０００８】
本発明は前記のような目的を有効に達成するために、次のような構成にしてある。すなわち、請求項１に記載の本発明のペン立ては、油性特殊粘土で所定の形状にペン立て本体を形成し、このペン立て本体に、筆記具の先端部を挿入して前記先端部の外周面の全体または外周面の環状の一部を密着保持させて前記筆記具をペン立て本体に立てられるようにした孔を複数形成したことを特徴とする構成である。
【０００９】
請求項２に記載の本発明のペン立ては、請求項１に記載の本発明のペン立ての構成において、所定間隔を以って一列に配した複数の孔を、複数列にペン立て本体に形成したことを特徴とする構成である。
【００１０】
請求項３に記載の本発明のペン立ては、請求項１または２に記載の本発明のペン立ての構成において、ペン立て本体に設ける孔は、有底筒状で且つ底部側を円錐状または截頭円錐状に形成したことを特徴とする構成である。
【００１１】
請求項４に記載の本発明のペン立ては、請求項１、２または３に記載の本発明のペン立ての構成において、油性特殊粘土が、植物性硬化油、炭酸カルシウム、カオリンナイト、脂肪酸ナトリウム塩を有するものであることを特徴とする構成である。
【００１２】
請求項５に記載の本発明のペン立ては、請求項１、２、３または４に記載の本発明のペン立ての構成において、ペン立て本体をアルミ製の容器に孔を上側にして収納したことを特徴とする構成である。
【発明の効果】
【００１３】
本発明のペン立てでは、キャップ付き筆記具のキャップを最初に外して、筆記具本体の先端部をペン立て本体の孔に挿入し、筆記具本体をペン立て本体に立てておくだけで、筆記具本体の先端部の外周面の全体または外周面の環状の一部が、ペン立て本体の内周面に密着しその状態を保持させておくことができる。そのため、筆記具本体の先端部の芯材からインク等が蒸発して芯材が乾燥してしまうこともなく、また筆記具本体の使用時にキャップを着脱することもなく、ペン立て本体の孔から筆記具本体を引き抜いてスムーズに書き物をすることができる。また、本発明のペン立てを使用することによって、キャップを紛失しても何ら困ることがない。
【００１４】
また、ペン立て本体に複数の孔を複数列に設けたことにより、複数の筆記具を整理して立てておくことができ、使用時の取り出しが素早くできて便利である。
【００１５】
また、孔を有底筒状で且つ底部側を円錐状または截頭円錐状に形成したことにより、先端部が有底筒状で且つ底部側を円錐状または截頭円錐状に形成されている筆記具本体の場合、この先端部を前記孔に挿入することにより、筆記具本体の先端部の外周面が、ペン立て本体の孔の内周面に沿って密着してペン立て本体に立てておくことができる。それ故に、筆記具本体の先端部の芯材からインク等が蒸発してしまうといったことを確実に防止することができる。したがって、本発明のペン立てに立てて保管後も、何ら問題なくスムーズに書き物をすることができる。
【００１６】
また、ペン立て本体を油性特殊粘土で形成することにより、その適度な粘着力により孔内で筆記具本体の先端部と適度に密着し、前記したように筆記具本体の先端部の芯材からインク等が蒸発してしまうといったことを確実に防止することができる。また、筆記具本体のペン立て本体の着脱も容易におこなうことができる。
【００１７】
また、ペン立て本体をアルミ製の容器に孔側を上側にして収納したことにより、ペン立て本体が早く乾燥したり型崩れを起こさせることなく使用することができる。
【発明を実施するための最良の形態】
【００１８】
以下、本発明を実施するための最良の形態を図に基づいて説明する。
図１〜図４は本発明のペン立ての一例に関する図である。図示のペン立て１は、油性特殊粘土で形成したペン立て本体２と、このペン立て本体２を収納するアルミ製の容器３からなる。なお、容器３はアルミ製に限らず他の金属製や、樹脂製、木製、紙製であってもよい。
【００１９】
前記のペン立て本体２は、植物性硬化油、炭酸カルシウム、カオリンナイト、脂肪酸ナトリウム塩からなる油性特殊粘土を使用して適宜厚さの直方体形状に形成したものである。ペン立て本体２の片面側には、キャップ付き筆記具４(図３参照)の筆記具本体５の先端部５ａの形状および外径と略同じ位の形状と内径からなる孔６を一定間隔を以って直線状に且つ複数列に複数個設けてある。図示の例では２列であるが１列でも或いは３列以上であってもよい。なお、油性特殊粘土の材料は、前記の材料でなくてもこれ以上の性能で衛生的で安全であれば別の材料でもよい。
【００２０】
また、ペン立て本体２の片面の不規則な位置に複数の孔を設けてもよい。勿論、前記した孔６は図示の例に限らず、各種のキャップ付き筆記具の筆記具本体の先端部が挿入できて密着する複数の異なる形状の孔をペン立て本体２に形成にしてもよい。
【００２１】
前記の孔６(図２参照)は、有底筒状で且つ底部側を円錐状（または截頭円錐状）に形成したものである。キャップ付き筆記具４のキャップ１０を外して筆記具本体５の先端部５ａを孔６の中に挿入した場合、先端部５ａの外周面１１（図示の場合は略全周面）と，孔６の内周面７とが接触し、ペン立て本体２の粘度によって適宜の強さで密着することになる。なお、孔６の形状は図示の例に限定されるものではなく、筆記具本体５の先端部５ａを適宜の強さで密着できれば如何なる形状に設計変更するも自由である。勿論、筆記具本体５の先端部５ａの芯材１２以外の外周面の一部の環状部分が孔の内周面に密着すれば、先端部５ａの外周面全体が孔の内周面に密着しない構造の孔であってもよい。すなわち、筆記具本体５の先端部５ａの芯材１２の含浸させたインク等が蒸発しなければ、如何なる形状の孔であってもよい。
【００２２】
また、前記のペン立て本体２を収納するアルミ製の容器３(図１参照)は、上部を開放した平面視長方形であり、ペン立て本体２の上部を開口部８と面一或いは少し外に出る位の深さに形成したものである。
【００２３】
このようにして構成されるペン立て１を使用する場合は、最初にキャップ付き筆記具４からキャップ１０を外し、筆記具本体５の所望の孔６に先端部５ａを挿入し、この先端部５ａを孔６に密着させて筆記具本体５をペン立て本体２に立てておく。そしてこの筆記具本体５を使用する場合は、ペン立て本体２から筆記具本体５を引き抜いて使用すればよい。
【００２４】
なお、本発明のペン立て１の孔６に挿入して立てる筆記具としては、各色の蛍光ペンや、白板に書ける各色のホワイトボードマーカー、金属やガラスやプラスチックに書けるペイントマーカー、油性または水生のマジックインク（登録商標）、筆ペン、サインペン、ボールペン、キャップ付き鉛筆等である。勿論、キャップを有さない筆記具を本発明のペン立て１に立てて使用するも自由である。
【００２５】
また、本発明のペン立てにおいて、ペン立て本体２および容器３の形状は、平面視で長方形に限らず、正方形、円形、楕円形、三角形や五角形以上の多角形、その他の形状であってもよい。
【図面の簡単な説明】
【００２６】
【図１】本発明のペン立ての斜視図である。
【図２】本発明のペン立て本体の孔の箇所を断面で示した説明図である。
【図３】一例のキャップ付き筆記具の説明図である。
【図４】本発明のペン立ての孔に筆記具本体を立てた状態の斜視図である。
【符号の説明】
【００２７】
１      ペン立て
２      ペン立て本体
３      容器
４      キャップ付き筆記具
５      筆記具本体
５ａ    先端部
６      孔
７      内周面
８      開口部
１０    キャップ
１１    外周面
１２    芯材
【図１】
2005231277.tif 000003
【図２】
2005231277.tif 000004
【図３】
2005231277.tif 000005
【図４】
2005231277.tif 000006